【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
複数のビデオ・フレームを備え、ホログラフィを用いて生成されたビデオ画像を表示する方法であって、
各フレーム期間中にそれぞれ、順次複数のホログラムを提供することと、前記ホログラムの再生フィールドを観察するために、前記複数のビデオ・フレームのホログラムを表示することとを含み、前記複数のホログラムを平均することによって各フレームの雑音分散が減衰されたように知覚され、
前記提供するステップは、単一の計算集中型ステップを有するアルゴリズムを実装することによって各ホログラムを生成することを含み、
単一の前記ステップは、フーリエ変換ステップであり、
前記アルゴリズムは、画素化された前記複数の各ホログラムについて、
ａ）所望の画素の振幅と等しい振幅を有する第１のデータを形成し、
ｂ）第２のデータを提供するために、前記第１のデータをフーリエ逆変換し、
ｃ）各データ・ポイントにおける位相が小さい第３のデータ・セットを形成するために、前記第２のデータを複素平面の実方向に十分シフトし、
ｄ）前記第３のデータ・セットの振幅を第４のデータ・セットとして形成し、
ｅ）前記ホログラムとしての表示のための第５のデータ・セットを形成するために、前記第４のデータ・セットを２値化するように、構成され、
前記２値化のステップは、前記第４のデータ・セットの中央値付近に閾値設定し、それにより、前記第５のデータ・セットがＤＣバランスおよび低い復元誤差を有することを含む方法。
【請求項２】
表示デバイスは、０およびπ／２の位相シフトを課す画素化された位相マスクを有する空間光変調器を備え、この場合、前記アルゴリズムは、各画素が値（１，ｊ，−１，−ｊ）の内の１つを有する４位相ホログラムを生成するように構成される、請求項１に記載の方法。
【請求項３】
前記位相マスクの画素値は、空間的にランダムである、請求項２に記載の方法。
【請求項４】
前記ステップｂ）は、前記第２のデータを提供するために、前記第１のデータをフーリエ逆変換し、前記第１のデータに前記位相マスクの値を適用することを含む、請求項３に記載の方法。
【請求項５】
前記画像は、２次元画像である、請求項１ないし４の何れかに記載の方法。
【請求項６】
２つの第２のデータ・セットを形成するために、フーリエ逆変換された前記第１のデータの実数部と虚数部の両方を形成し、それにより、フーリエ変換ステップ毎に２つのホログラムが作り出されることをさらに含む、請求項１ないし５の何れかに記載の方法。
【請求項７】
複数のビデオ・フレームを有し、ホログラフィを用いて生成されたビデオ画像を表示するように構築され構成された装置であって、各フレーム期間中にそれぞれ、順次複数のホログラムを提供するように構成された処理手段と、各フレームにおける前記順次複数のホログラムを受信し、前記ホログラムの再生フィールドを観察するために、前記ビデオ画像の前記複数のビデオ・フレームにおけるホログラムを表示するように構成された表示デバイスとを有し、前記複数のホログラムを平均することによって各フレームの雑音分散が減衰されたように知覚される装置。
【請求項８】
前記処理手段は、単一の計算集中型ステップを有するアルゴリズムを実装することによって前記各ホログラムを生成するように構成される、請求項７に記載の装置。
【請求項９】
単一の前記ステップは、フーリエ変換ステップである、請求項８に記載の装置。
【請求項１０】
前記アルゴリズムは、画素化された前記複数の各ホログラムについて、
ａ）所望の画素の振幅と等しい振幅を有する第１のデータを形成し、
ｂ）第２のデータを提供するために、前記第１のデータをフーリエ逆変換し、
ｃ）各データ・ポイントにおける位相が小さい第３のデータ・セットを形成するために、前記第２のデータを複素平面の実方向に十分シフトし、
ｄ）前記第３のデータ・セットの振幅を第４のデータ・セットとして形成し、
ｅ）前記ホログラムとしての表示のための第５のデータ・セットを形成するために、前記第４のデータ・セットを２値化するように、構成される、請求項８に記載の装置。
【請求項１１】
前記２値化のステップは、前記第４のデータ・セットの中央値付近に閾値設定し、それにより、前記第５のデータ・セットがＤＣバランスおよび低い復元誤差を有することを含む、請求項１０に記載の装置。
【請求項１２】
表示デバイスは、０およびπ／２の位相シフトを課す画素化された位相マスクを有する空間光変調器を備え、この場合、前記アルゴリズムは、各画素が値（１，ｊ，−１，−ｊ）の内の１つを有する４位相ホログラムを生成するように構成される、請求項７、８、または９に記載の装置。
【請求項１３】
前記位相マスクの画素値は、空間的にランダムである、請求項１２に記載の装置。
【請求項１４】
前記ステップｂ）は、前記第２のデータを提供するために、前記第１のデータをフーリエ逆変換し、前記第１のデータに前記位相マスクの値を適用することを含む、請求項１３に記載の装置。
【請求項１５】
２つの第２のデータ・セットを形成するために、フーリエ逆変換された前記第１のデータの実数部と虚数部の両方を形成し、それにより、フーリエ変換ステップ毎に２つのホログラムが作り出されることをさらに含む、請求項１０ないし１４の何れかに記載の装置。
【請求項１６】
画素化されたホログラムを生成する方法であって、
第１のデータ・セットを形成することであって、前記第１のデータ・セットのメンバがそれぞれ所望の画素の振幅と等しい振幅をそれぞれ有する、前記第１のデータ・セットを形成することと、
第２のデータ・セットを提供するために、前記第１のデータ・セットにフーリエ逆変換を施すことと、
各データ・ポイントにおける位相が小さい第３のデータ・セットを形成するために、前記第２のデータ・セットを複素平面の実方向に十分シフトすることと、
前記第３のデータ・セットの振幅を第４のデータ・セットとして形成することと、
前記ホログラムとしての表示のための第５のデータ・セットを形成するために、前記第４のデータ・セットを２値化することと
を含む方法。
【請求項１７】
前記２値化のステップは、前記第４のデータ・セットの中央値付近に閾値設定し、それにより、前記第５のデータ・セットがＤＣバランスおよび低い復元誤差を有することを含む、請求項１６に記載の方法。
【請求項１８】
表示デバイスは、０およびπ／２の位相シフトを課す画素化された位相マスクを有する空間光変調器を備え、この場合、前記アルゴリズムは、各画素が値（１，ｊ，−１，−ｊ）の内の１つを有する４位相ホログラムを生成するように構成される、請求項１６または１７に記載の方法。
【請求項１９】
前記位相マスクの画素値は、空間的にランダムである、請求項１６に記載の方法。
【請求項２０】
前記第２のデータを提供するために、前記第１のデータに前記位相マスクの値を適用することをさらに含む、請求項１６または１７に記載の方法。
【請求項２１】
前記画像は、２次元画像である、請求項１６から２０のいずれかに記載の方法。
【請求項２２】
２つの第２のデータ・セットを形成するために、フーリエ逆変換された前記第１のデータの実数部と虚数部の両方を形成し、それにより、フーリエ変換ステップ毎に２つのホログラムが作り出されることをさらに含む、請求項１６から２１のいずれかに記載の方法。